(57)【特許請求の範囲】
【請求項１】
複数の色光を各色光毎に画像情報に応じて変調する複数の光変調装置と、各光変調装置で変調された各色光を合成する色合成光学装置が一体的に設けられた光学装置であって、
前記色合成光学装置および前記光変調装置の間には、光学特性を変換する光学変換膜が形成された基板を備えた光学変換素子が配置され、
前記色合成光学装置の光束入射端面に固定され、この光学変換素子を保持する保持面を有し、かつ前記基板の下端部分を支持する変換素子保持体と、
前記色合成光学装置および前記光変調装置の間で端部が露出し、該露出部分で挿抜可能であり、前記保持面に対して前記基板の上端部分をその厚さ方向に付勢する付勢部材とを備え、
前記変換素子保持体の上端部分には、光束入射側に突出し、前記光変調装置が固定される固定部が形成され、
前記固定部には、上下方向に貫通し、前記付勢部材の一部が挿入される孔が形成されていることを特徴とする光学装置。
【請求項２】
請求項１に記載の光学装置において、
前記変換素子保持体は、熱伝導性材料から構成されていることを特徴とする光学装置。
【請求項３】
請求項１または請求項２に記載の光学装置において、
前記変換素子保持体には、前記光学変換素子を支持する支持面が形成されていることを特徴とする光学装置。
【請求項４】
請求項１から請求項３のいずれかに記載の光学装置において、
前記付勢部材の露出部分は、前記色合成光学装置の光束入射端面と交差する端面に沿っていることを特徴とする光学装置。
【請求項５】
請求項１から請求項４のいずれかに記載の光学装置において、
前記光学変換素子は、偏光素子であることを特徴とする光学装置。
【請求項６】
請求項５に記載の光学装置において、
前記偏光素子の基板の反対側には、異なる光学機能を有する光学補正膜が形成されていることを特徴とする光学装置。
【請求項７】
請求項１から請求項６のいずれかに記載の光学装置を備えていることを特徴とするプロジェクタ。
【発明の詳細な説明】
【０００１】
【発明の属する技術分野】
本発明は、複数の色光を各色光毎に画像情報に応じて変調する複数の光変調装置と、光変調装置で変調された各色光を合成する色合成光学装置とが一体的に設けられた光学装置、およびこれを備えたプロジェクタに関する。
【０００２】
【背景技術】
光源ランプから射出された光束を、ダイクロイックミラーを用いて三色の色光Ｒ、Ｇ、Ｂに分離する色分離光学系と、分離された光束を各色光毎に、画像情報に応じて変調する３枚の光変調装置と、各光変調装置で変調された光束を、合成するクロスダイクロイックプリズムとを備えた三板式のプロジェクタが知られている。
ここで、光変調装置の光束射出側には、該光変調装置を通過した光束のうち、所定の偏光軸を有する光束の透過を行う偏光フィルムを備えている。
通常、この光束射出側の偏光フィルムは、クロスダイクロイックプリズムに直接貼り付けられるか、あるいは、ガラス等に貼り付けられた後、光学部品用筐体に設置され、板金等により形成された保持部材に接着固定される構造が採用されている。
【０００３】
【発明が解決しようとする課題】
製品として出荷されたプロジェクタにおいて、偏光フィルムが光源から射出される光束の照射により劣化した場合には、偏光板を交換することが必要となる。
しかしながら、上記のような偏光板の固定構造では、偏光板がプリズムあるいは保持部材に接着固定されているので、偏光板を上記部材から引き剥がした際には上記部材には接着剤が固着されて残り、新しい偏光板を上記部材に設置して該偏光板を再度位置調整することは困難であり、所定の位置に偏光板を設置することができない、という問題がある。
さらに、偏光板は光変調装置とプリズムとの間に介在しているので、偏光板を上記部材から引き剥がす際には、光変調装置も取り外す必要があり、偏光板のみの交換を行うことができない、という問題がある。
【０００４】
本発明の目的は、光学変換素子を容易に交換することができ、リワーク性を向上させることができる光学装置およびこれを備えたプロジェクタを提供することにある。
【０００５】
【課題を解決するための手段】
本発明の光学装置は、複数の色光を各色光毎に画像情報に応じて変調する複数の光変調装置と、各光変調装置で変調された各色光を合成する色合成光学装置が一体的に設けられた光学装置であって、前記色合成光学装置および前記光変調装置の間には、光学特性を変換する光学変換膜が形成された基板を備えた光学変換素子が配置され、前記色合成光学装置の光束入射端面に固定され、この光学変換素子を保持する保持面を有し、かつ前記基板の下端部分を支持する変換素子保持体と、前記色合成光学装置および前記光変調装置の間で端部が露出し、該露出部分で挿抜可能であり、前記保持面に対して前記基板の上端部分をその厚さ方向に付勢する付勢部材とを備え、前記変換素子保持体の上端部分には、光束入射側に突出し、前記光変調装置が固定される固定部が形成され、前記固定部には、上下方向に貫通し、前記付勢部材の一部が挿入される孔が形成されていることを特徴とするものである。
【０００６】
このような本発明によれば、光学装置は、色合成光学装置の光束入射端面に固定され、光学変換素子を保持する保持面を有する変換素子保持体と、色合成光学装置および光変調装置の間で端部が露出し、該露出部分で挿抜可能であり、保持面に対して光学変換素子を構成する基板をその厚さ方向に付勢する付勢部材とを備えていることにより、光学変換素子の何らかの不具合により交換を行う際に、付勢部材を取り外すことで、光学変換素子を構成する基板に対する付勢状態を解放することができ、容易に光学変換素子の交換を行うことができる。
また、光学変換素子は、付勢部材により、変換素子保持体の保持面に対して、付勢狭持されていることにより、光学変換素子の交換の際には、変換素子保持体に対して、光学変換素子を接着剤等の固着状態から引き剥がす必要はなく、光学変換素子の交換を容易に行うことができる。
さらに、光学変換素子の交換の際に、変換素子保持体に固着した接着剤を削り取る作業を行う必要がなく、光学変換素子の設置を容易に行うことができる。
【０００７】
また、光変調装置と色合成光学装置との間に、光学変換素子の交換に十分な隙間を形成しておけば、光学変換素子の交換の際に、光変調装置を取り外す必要がなくなり、光学変換素子のみを交換することができ、光学装置のリワーク性を向上させることができる。
したがって、光学変換素子を容易に変換することのでき、リワーク性を向上させることができる光学装置となり、本発明の目的を達成することができる。
また、光学変換素子は、付勢部材により、変換素子保持体の保持面に対して、付勢狭持されていることにより、変換素子保持体の保持面と光学変換素子を構成する基板は密着し、光源から射出された光束により光学変換膜に発生する熱を効率的に変換素子保持体に放熱することができ、光学変換素子の高温化を回避し、熱による劣化を防止することができる。
【０００８】
さらに、光変調装置は、色合成光学装置の光束入射端面に固定された変換素子保持体に固定されていることにより、光変調装置と色合成光学装置とを変換素子保持体を介して一体化することができる。
また、光変調装置は、変換素子保持体を介して、色合成光学装置に固定されていることにより、光変調装置に何らかの不具合が生じ、光変調装置を交換する際に、変換素子保持体から光変調装置を引き剥がすことで、色合成光学装置に傷等を付けることなく、光変調装置を容易に交換することができる。
【０００９】
さらに、光変調装置が固定される変換素子保持体の固定部には、付勢部材の一部が挿入される孔が形成されていることにより、固定部の表裏面にはそれぞれ光変調装置と付勢部材の一部とが位置し、光変調装置と付勢部材とが干渉することなく、光変調装置の固定状態および付勢部材による光学変換素子の固定状態を安定に保持することができる。
【００１０】
本発明の光学装置では、前記変換素子保持体は、熱伝導性材料から構成されていることが好ましい。
このような構成では、変換素子保持体は、熱伝導性金属から構成されていることにより、光学変換素子からの放熱特性を向上させることができ、光学変換膜の高温化を回避し、光学変換膜の機能的信頼性を確保することができる。
【００１１】
本発明の光学装置では、前記変換素子保持体には、前記光学変換素子を支持する支持面が形成されていることが好ましい。
このような構成では、変換素子保持体には、光学変換素子を支持する支持面が形成されていることにより、一体化された光学装置を光学部品用の筐体に設置した際に、変換素子保持体の支持部が下端部に位置していれば、該支持部が光学変換素子の自重を担保し、光学変換素子を安定に保持することができる。
ここで、付勢部材により支持面に付勢するように構成すれば、光学変換素子の傾きを防止でき、光学変換素子の交換時の位置調整を行わなくて良い。
また、光学変換素子を構成する基板に対して、付勢部材による付勢状態を解放した際には、光学変換素子は変換素子保持体から落下することがなく、光学変換素子の交換を容易に行うことができる。
【００１２】
本発明の光学装置では、前記付勢部材の露出部分は、前記色合成光学装置の光束入射端面と交差する端面に沿っていることが好ましい。
このような構成では、付勢部材の露出部分が、色合成光学装置の光束入射端面と交差する端面に沿っていることにより、色合成光学装置の光束入射端面と交差する端面に対する法線方向が、光学部品用筐体への光学装置の着脱方向と一致している場合には、光学装置の光学部品用筐体への設置後であっても、収納部への付勢部材の着脱を可能にし、光学変換素子の交換の際に、光学装置を筐体から外す作業を省くことができ、光学変換素子の交換においてリワーク工数を低減させることができる。
【００１３】
本発明の光学装置では、前記光学変換素子は、偏光素子であることが好ましい。
偏光素子は、所定の偏光軸を有する光束を透過するが、それ以外の光束は偏光素子によって吸収され熱に変換される。
特に、光変調装置の光束射出側の偏光素子は、スクリーンに投写される画像を全て黒表示にする場合に、光変調装置から射出された光束を全て吸収することにより、偏光素子は高温化し、劣化しやすい。
このような構成では、偏光素子が変換素子保持体に保持固定されるので、偏光素子に発生した熱を効率的に変換素子保持体に放熱することができ、偏光素子の高温化を回避し、偏光素子の劣化を防止することができる。
【００１４】
本発明の光学装置では、前記偏光素子の基板の反対側には、異なる光学機能を有する光学補正膜が形成されていることが好ましい。
光学補正膜としては、視野角補正膜あるいは色補正膜を採用することができる。
このような構成では、偏光素子の基板の反対側には、異なる光学機能を有する光学補正膜が形成されていることにより、光変調装置と色合成光学装置との間に介在し、上記光学補正膜を固定する固定板を省略することができ、部品点数を削減し、組立工数を低減するとともに、コスト削減を図ることができる。
また、基板に、上記独自の光学特性を持つ光学補正膜を貼り付けることで、各光変調装置によって表示される映像を鮮明に投写することができる。
【００１５】
一方、本発明のプロジェクタは、上記目的を達成するために、上述した光学装置のうちのいずれかを備えていることを特徴とするものである。
この発明によれば、上述した光学装置の作用・効果と略同様な作用・効果を奏するプロジェクタを享受できる。
また上述した光学装置を用いれば、プロジェクタ内部の光学変換素子を容易に交換でき、プロジェクタのリワーク性を向上させることができるようになる。
【発明の実施の形態】
以下、本発明の実施の形態を図面に基づいて説明する。
〔１．プロジェクタの主な構成〕
図１は、本発明に係るプロジェクタ１を上方から見た斜視図である。図２は、プロジェクタ１を後方から見た斜視図である。図３は、プロジェクタ１を下方から見た斜視図である。
【００１６】
図１〜図３において、プロジェクタ１は、略直方体状の外装ケース２を備えている。
外装ケース２は、プロジェクタ１の本体部分を収納する筐体であり、アッパーケース２１と、ロアーケース２２と、これらのケース２１，２２の前方側を跨るように取り付けられるフロントケース２３とを備えて構成される。各ケース２１〜２３は、それぞれ合成樹脂製である。
【００１７】
アッパーケース２１は、図２に示すように、プロジェクタ１の天面、側面、および背面をそれぞれ構成する上面部２１１、側面部２１２、および背面部２１３を含んで構成される。
上面部２１１の前方側には、操作パネル２５が設けられている。
アッパーケース２１において、操作パネル２５の後方側には、上面部２１１の後方側と背面部２１３とを跨る凹部２１Ａが形成されている。この凹部２１Ａから、外装ケース２に収納された回路基板５の一部が外部に露出している。この外部に露出する回路基板５の一部とは、インターフェース部を構成する各種コネクタ５Ａである。これらのコネクタ５Ａを介して、プロジェクタ１には、外部機器が接続される。
【００１８】
ロアーケース２２は、図３に示すように、プロジェクタ１の底面、側面、および背面をそれぞれ構成する底面部２２１、側面部２２２、および背面部２２３を含んで構成される。
底面部２２１には、開口部２２１Ｘが形成されている。この矩形状の開口部２２１Ｘには、ランプカバー２４が嵌め込み式で着脱可能に設けられている。さらに、底面部２２１には、外部から冷却空気を吸入するための吸気口２２１Ａ，２２１Ｂが形成されている。
【００１９】
底面部２２１において、後方側の略中央部分には、プロジェクタ１の脚部を構成する後脚２２Ｒが形成されている。また、底面部２２１における前方側の左右の隅部には、同じくプロジェクタ１の脚部を構成する前脚２２Ｆがそれぞれ設けられている。つまり、プロジェクタ１は、後脚２２Ｒおよび２つ前脚２２Ｆにより３点で支持されている。
２つの前脚２２Ｆは、それぞれ上下方向に進退可能に構成されており、プロジェクタ１の前後方向および左右方向の傾き（姿勢）を調整して、投写画像の位置合わせができるようになっている。
【００２０】
図２に示すように、背面部２２３において、コネクタ５Ａの下側となる部分には、リモコン収納部２６が形成されている。このリモコン収納部２６には、プロジェクタ１の遠隔操作を行うためのリモートコントローラ２６Ａが収納される。
また、図２において、背面部２２３におけるリモコン収納部２６の右側には、スピーカ孔２２Ａが形成され、リモコン収納部２６の左側には、インレットコネクタ２２Ｂが設けられている。
【００２１】
フロントケース２３は、図１に示すように、プロジェクタ１の前面、天面、および側面をそれぞれ構成する前面部２３１、天面部２３２、および側面部２３３を含んで構成される。
フロントケース２３には、前面部２３１および天面部２３２を跨ぐ開口部２３Ａが形成されている。この開口部２３Ａに対応するように、外装ケース２内部には、投写レンズ４６が配置されている。この際、開口部２３Ａから投写レンズ４６の一部が外部に露出しており、この露出部分の一部であるレバー４６Ａを介して、投写レンズ４６のズーム操作、フォーカス操作が手動で行えるようになっている。
【００２２】
また、前面部２３１において、前述した開口部２３Ａの反対側の位置には、排気口２３Ｂが形成されている。この排気口２３Ｂの内側には、プロジェクタ１内の空気を誘導するダクト６７が設けられており、排気口２３Ｂには、ダクト６７の排気口６７Ａが対向している。また、排気口２３Ｂには、水平方向に並ぶ複数枚の羽根板２３Ｂ１が形成され、これらの羽根板２３Ｂ１により、ダクト６７の排気口６７Ａ等から排出される冷却空気を整流する機能と、内外の光を遮ぎる機能とを備えている。
【００２３】
このような外装ケース２の側面側には、図１に示すように、アッパーケース２１の側面部２１２とロアーケース２２の側面部２２２に跨って吸気口２Ａが形成されている。この吸気口２Ａの内側には、図１〜３では図示しないシロッコファンが設けられている。
【００２４】
ここで、図４，５は、プロジェクタ１の内部を示す斜視図である。
具体的には、図４は、図２の状態からプロジェクタ１のアッパーケース２１を外した図である。図５は、図４の状態からフロントケース２３、上部シールド部材３４、回路基板５を外して前方から見た図である。
外装ケース２には、図４または図５に示すように、プロジェクタ１の前方から見て、略中央の前方側に配置された電源ユニット３と、この電源ユニット３の後方から右側にかけて配置された平面視略Ｌ字状の光学ユニット４と、これらのユニット３，４の上方に配置される回路基板５とを備える。
【００２５】
電源ユニット３は、電源３１と、この電源３１の下方に配置されたランプ駆動回路（バラスト）３２とを含んで構成される。
電源３１は、インレットコネクタ２２Ｂに接続された図示しない電源ケーブルを通して、外部から供給された電力をランプ駆動回路３２や回路基板５等に供給するものである。
ランプ駆動回路３２は、光学ユニット４を構成する図４，５では図示しない光源ランプに、電源３１から供給された電力を供給するものであり、前記光源ランプと電気的に接続されている。このようなランプ駆動回路３２は、例えば、図示しない基板に配線される。
【００２６】
これらの電源３１およびランプ駆動回路３２は、略平行に上下に並んで配置され、これらの占有空間は、プロジェクタ１の前方で左右方向に延びている。
また、電源３１はおよびランプ駆動回路３２は、左右側が開口された筒部材３１Ａ，３２Ａによってそれぞれ周囲を覆われている。これらの筒部材３１Ａ，３２Ａは、冷却空気を誘導するダクトとして機能する。また、筒部材３２Ａには、その表面にめっき処理等の金属による加工がなされ、ランプ駆動回路３２からの電磁ノイズの漏れが防止されている。
さらに、電源３１およびランプ駆動回路３２は、矩形の開口部分が形成された金属製の下部シールド部材３３によって覆われており、これらの電源３１およびランプ駆動回路３２からの外部への電磁ノイズの漏れが防止されている。
【００２７】
ここで、図６は、光学ユニット４を示す斜視図である。
光学ユニット４は、図６に示すように、光源装置４１１を構成する図示しない光源ランプから射出された光束を光学的に処理して画像情報に対応した光学像を形成し、この光学像を拡大して投射するユニットであり、インテグレータ照明光学系４１と、色分離光学系４２と、リレー光学系４３と、光学装置本体４５と、投写レンズ４６と、これらの光学部品４１〜４６を収納するライトガイド４７とを備える。なお、その詳細については、後述する。
【００２８】
回路基板５は、図４において具体的な図示を省略しているが、ＣＰＵ等を含む制御部と、各種コネクタを含むインターフェース部とが実装された一枚の基板であり、コネクタ５Ａを介して入力された画像情報に応じて、制御部が、光学装置本体４５を構成する液晶パネルの制御を行っている。
【００２９】
この回路基板５は、図４，５を参照すれば、下部シールド部材３３の上部に配置されるとともに、該回路基板５の上方には、金属製の上部シールド部材３４が配置される。上部シールド部材３４および下部シールド部材３３は、回路基板５を挟んだ状態で互いに固定されている。これにより、電源ユニット３や回路基板５等から外部への電磁ノイズの漏れを防止している。
【００３０】
〔２．光学ユニットの詳細な構成〕
図７は、図６に示す光学ユニット４を模式的に示した平面図である。
光学ユニット４は、図７に示すように、インテグレータ照明光学系４１と、色分離光学系４２と、リレー光学系４３と、光学装置本体４５と、投写光学系としての投写レンズ４６とを備えて構成される。
インテグレータ照明光学系４１は、光学装置本体４５を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００３１】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、ハロゲンランプを採用している。なお、ハロゲンランプ以外に、メタルハライドランプや高圧水銀ランプ等も採用できる。
リフレクタ４１７としては、放物面鏡を採用している。なお、放物面鏡の代わりに、平行化凹レンズおよび楕円面鏡を組み合わせたものを採用してもよい。
【００３２】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００３３】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００３４】
偏光変換素子４１４は、第２レンズアレイ４１３と重畳レンズ４１５との間に配置されるとともに、第２レンズアレイ４１３と一体でユニット化されている。このような偏光変換素子４１４は、第２レンズアレイ４１３からの光を１種類の偏光光に変換するものであり、これにより、光学装置本体４５での光の利用効率が高められている。
【００３５】
具体的に、偏光変換素子４１４によって１種類の偏光光に変換された各部分光は、重畳レンズ４１５によって最終的に光学装置本体４５の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を全て１種類の偏光光に変換し、光学装置本体４５での光の利用効率を高めている。
なお、このような偏光変換素子４１４は、たとえば特開平８−３０４７３９号公報に紹介されている。
【００３６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００３７】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３８】
この際、色分離光学系４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｂの光入射側に設けられたフィールドレンズ４１８も同様である。
【００３９】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の拡散等による光の利用効率の低下を防止するためである。すなわち、入射側レンズ４３１に入射した部分光束をそのまま、フィールドレンズ４１８に伝えるためである。
【００４０】
光学装置本体４５は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
液晶パネル４４１Ｒ，４４１Ｇ，４４１Ｂは、例えば、ポリシリコンＴＦＴをスイッチング素子として用いたものである。
光学装置本体４５において、色分離光学系４２で分離された各色光は、これら３枚の液晶パネル４４１Ｒ，４４１Ｇ，４４１Ｂ、入射側偏光板４４２、および射出側偏光板４４３によって、画像情報に応じて変調された光学像を形成する。
【００４１】
具体的に、図１３に示すように液晶パネル４４１Ｒ，４４１Ｇ，４４１Ｂは、ガラスなどからなる駆動基板４４１Ｃと対向基板４４１Ｄとが、シール材（図示省略）を介して所定間隔を空けて貼り合わせられ、両基板間に液晶が注入された構成となっている。
液晶パネル４４１において、駆動基板４４１Ｃの内面上には、ＴＦＴ素子などのスイッチング素子、ＩＴＯ（Indium Tin Oxide）などの透明導電体からなる画素電極、配線、配向膜などが形成され、また、対向基板４４１Ｄの内面上には上記画素電極に対応して対向電極、配向膜などが形成され、これらによってアクティブマトリクス型の液晶パネル構造が構成されている。
ここで、各液晶パネル４４１Ｒ，４４１Ｇ，４４１Ｂの対向基板４４１Ｄには、サファイアまたは石英ガラスで構成される防塵ガラス４４１Ａが貼り付けられている。
【００４２】
入射側偏光板４４２は、偏光フィルムとサファイア基板とから構成され、透過する光束のうち、所定の偏光軸を有する光束のみを透過させ、その他の光束を吸収するものである。
射出側偏光板４４３も、入射側偏光板４４２と略同様に構成され、液晶パネル４４１（４４１Ｒ，４４１Ｇ，４４１Ｂ）から射出された光束のうち、所定方向の偏光軸を有する光束のみを透過させる偏光フィルム４４３Ａと、熱伝導性良好なサファイア基板４４３Ｂとを備え、図示しない透明接着剤を用いて偏光フィルム４４３Ａをサファイア基板４４３Ｂに貼り付けた構成となっている。
これらの入射側偏光板４４２および射出側偏光板４４３は、互いの偏光軸の方向が直交するように設定されている。
ここで、サファイア基板４４２Ｂの偏光フィルム４４３Ａが貼り付けられた端面とは反対側の端面には、図示しない視角補償フィルムが貼り付けられている。
なお、ここでは、視角補償フィルムが貼り付けられているが、プロジェクタの仕様に応じて、他の光学機能を有する色補正膜等を貼り付けてもよい。
【００４３】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００４４】
以上説明した液晶パネル４４１、射出側偏光板４４３およびクロスダイクロイックプリズム４４４は、一体的にユニット化された光学装置本体４５として構成されている。なお、入射側偏光板４４２は、ライトガイド４７に形成された図示しない溝部にスライド式に嵌め込んで取り付けられる。
【００４５】
以上説明した各光学系４１〜４５は、図６に示すように、光学部品用筐体としての合成樹脂製のライトガイド４７内に収容されている。
ライトガイド４７は、内部側の具体的な図示を省略するが、図６に示すように、前述した図７の各光学部品４１２〜４１５，４１８，４２１〜４２３，４３１〜４３４，４４２を上方からスライド式に嵌め込む溝部が形成された下ライトガイド４７１と、下ライトガイド４７１の上部の開口側を閉塞する蓋状の上ライトガイド４７２とを備えて構成される。
また、図６において、平面視略Ｌ字状のライトガイド４７の一端側には、光源装置４１１が収容され、他端側には、ヘッド部４９を介して投写レンズ４６がねじ止め固定されている。
【００４６】
〔３．光学装置の構造〕
光学装置本体４５の構造について、以下に説明する。
図８には、光学装置本体４５の全体斜視図が示されており、図９には、光学装置本体４５の分解斜視図が示されている。なお、図９では、３つの液晶パネル４４１（４４１Ｒ，４４１Ｇ，４４１Ｂ）のうち、代表して液晶パネル４４１Ｂのみを図示し、他の液晶パネル４４１Ｒ，４４１Ｇの図示を省略する。
光学装置本体４５は、液晶パネル４４１Ｒ，４４１Ｇ，４４１Ｂと、射出側偏光板４４３と、クロスダイクロイックプリズム４４４とが一体的に形成されたものであり、光源ランプ４１６から射出された光束は液晶パネル４４１Ｒ，４４１Ｇ，４４１Ｂにより画像情報に応じて変調され、該液晶パネル４４１Ｒ，４４１Ｇ，４４１Ｂで変調された光束のうち所定の偏光軸を有する光束のみが射出側偏光板４４３を透過し、クロスダイクロイックプリズム４４４によって各色光を合成し、光学像として投写される。
【００４７】
また、光学装置本体４５には、液晶パネル４４１Ｒ，４４１Ｇ，４４１Ｂおよび射出側偏光板４４３を冷却するために、クロスダイクロイックプリズム４４４を載置固定する台座４５１と、各液晶パネル４４１Ｒ，４４１Ｇ，４４１Ｂを枠内に保持する保持枠４５３と、クロスダイクロイックプリズム４４４の光束入射端面に取り付けられ、射出側偏光板４４３を保持する偏光板保持体４５２とを含んで構成されている。
ここで、保持枠４５３，および偏光板保持体４５２は、熱伝導率の高いマグネシウム合金で形成されている。なお、上記部材は、マグネシウム合金に限らず、アルミニウム、銅等の熱伝導率の高い材料で形成されていればよい。
【００４８】
台座４５１は、クロスダイクロイックプリズム４４４の下面に固定されており、外周形状はクロスダイクロイックプリズム４４４と略同一である。
また、台座４５１のＧ色光入射側の辺縁角隅部分から延出して、一体化された光学装置本体４５を下ライトガイド４７１に固定するための取付部４５１Ａが設けられ、ねじ等により固定される。
【００４９】
保持枠４５３は、各液晶パネル４４１Ｒ，４４１Ｇ，４４１Ｂを収納保持するための収納体４５３Ａと、収納された各液晶パネル４４１Ｒ，４４１Ｇ，４４１Ｂの光束射出側から押圧固定する支持板４５３Ｂとを備えて構成される。
収納体４５３Ａは、略矩形枠状に形成され、四隅には、偏光板保持体４５２に取り付けるための４つの取付孔４５３Ｃが形成されており、該４つの取付孔４５３Ｃには、紫外線を透過する合成樹脂（アクリル材等）から構成される４つのピンスペーサ４５３Ｄが挿通されて偏光板保持体４５２と接合される。
また、収納体４５３Ａの左右端面略中央部には、支持板４５３Ｂと係合するためのフック係合部４５３Ｆが形成されている。
支持板４５３Ｂは、略矩形枠状に形成されており、上記フック係合部４５３Ｆに対応して左右端部にはフック４５３Ｇが形成されている。
ここで、収納体４５３Ａおよび支持板４５３Ｂの略中央部には、開口部４５３Ｈが形成され、この開口部４５３Ｈが液晶パネル４４１の画像形成領域となる。
【００５０】
偏光板保持体４５２は、液晶パネル４４１の画像形成領域に対応して開口部４５２Ａを有する略矩形枠板状体で構成され、該開口部４５２Ａ周縁に射出側偏光板４４３を保持する保持面４５２Ｂが形成されている。
この保持面４５２Ｂは、板状体から突設されており、開口部４５２Ａ周縁の上端部角隅部分および左右辺縁に位置して略Ｌ字状になるように形成され、射出側偏光板４４３の光束射出側端面と当接する。
また、板状体の四隅は、該板状体から突出して形成され、液晶パネル４４１が保持固定された保持枠４５３を取り付けるための固定部４５２Ｃが形成されている。
この固定部４５２Ｃに保持枠４５３を取り付けた際には、板状体と液晶パネル４４１との間には隙間が形成され、液晶パネル４４１および射出側偏光板４４３を冷却するための冷却流路が確保される。
【００５１】
板状体の下端部角隅部分に位置する固定部４５２Ｃは、該固定部４５２Ｃ上端部から上方に突出し、射出側偏光板４４３の下端部分を支持する支持部４５２Ｄが形成されている。この支持部４５２Ｄと保持面４５２Ｂとの間に形成される隙間は、射出側偏光板４４３の板厚と略同一の寸法を有する。
射出側偏光板４４３を偏光板保持体４５２に設置する際には、図１０（Ａ）に示すように、射出側偏光板４４３を偏光板保持体４５２の保持面４５２Ｂに対して傾斜させながら、該射出側偏光板４４３の下端部を偏光板保持体４５２の下端部角隅部分に位置する固定部４５２Ｃの上端部に載置し、図１０（Ｂ）に示すように、該射出側偏光板４４３の上端部を保持面４５２Ｂに当接するように移動することで、該射出側偏光板４４３の光束射出側端面は保持面４５２Ｂと当接し、下端部は支持部４５２Ｄにより支持される。
【００５２】
ここで、板状体の上端部角隅部分に位置する固定部４５２Ｃは、上方から射出側偏光板４４３の保持面まで貫通して孔４５２Ｅが形成されており、該孔４５２Ｅには、射出側偏光板４４３をその厚さ方向に押圧固定する付勢部材４５４が挿通され、射出側偏光板４４３が保持面に保持固定される。
また、板状体の上端部略中央部分には、上記付勢部材４５４を固定するためのフック係合部４５２Ｆが形成されており、付勢部材４５４による射出側偏光板４４３の固定を安定に保持する。
【００５３】
付勢部材４５４は、上記偏光板保持体４５２の上端部に設置され、射出側偏光板４４３をその厚さ方向に偏光板保持体４５２の保持面４５２Ｂに押圧固定するものであり、略矩形板状の支持板４５４Ａと、上記偏光板保持体４５２のフック係合部４５２Ｆと係合するフック４５４Ｂと、射出側偏光板４４３を保持面４５２Ｂに押圧する固定ばね４５４Ｃとを備えて構成される。
ここで、フック４５４Ｂと固定ばね４５４Ｃは、支持板４５４Ａの上端部、かつ、同一面に固定されており、フック４５４Ｂおよび固定ばね４５４Ｃと支持板４５４Ａとの間に形成される隙間は、上記偏光板保持体４５２の板厚と略同一の寸法で形成されている。
【００５４】
付勢部材４５４を偏光板保持体４５２に設置した際、支持板４５４Ａは、偏光板保持体４５２の光束射出側端面に当接し、上記固定ばね４５４Ｃから射出側偏光板４４３への押圧力に対抗して偏光板保持体４５２に力を及ぼし、固定ばね４５４Ｃの付勢力を保持している。
フック４５４Ｂは、支持板４５４Ａの略中央部に位置し、付勢部材４５４を偏光板保持体４５２に設置する際、偏光板保持体４５２のフック係合部４５２Ｆと係合することにより、付勢部材４５４の偏光板保持体４５２への固定を安定なものにしている。
【００５５】
固定ばね４５４Ｃは、支持板４５４Ａの左右端部に位置しており、上端部から下端部にかけて折曲して形成されている。付勢部材４５４を偏光板保持体４５２に設置する際には、固定ばね４５４Ｃを偏光板保持体４５２に形成された孔４５２Ｅに挿通し、固定ばね４５４Ｃの下端部を射出側偏光板４４３に当接することにより、該射出側偏光板４４３は、偏光板保持体４５２の保持面４５２Ｂに押圧される、と同時に下方にも押圧され、下端の固定部４５２Ｃにより出射側偏光板４４３の傾きが矯正される。
ここで、上記付勢部材４５４を偏光板保持体４５２に設置した際には、付勢部材４５４の上端部は、偏光板保持体４５２から突出しており、射出側偏光板４４３の交換にあたって、挿抜可能になっている。
【００５６】
〔４．光学装置の製造方法〕
以下には、図９を参照し、光学装置の製造方法について詳説する。
先ず、下記（１）に示す工程によりプリズムユニットを組み立てる。
（１）クロスダイクロイックプリズム４４４の下面に台座４５１を紫外線硬化性接着剤を用いて接着固定する。
【００５７】
次に、下記（２）〜（５）に示す工程により偏光板保持体４５２を組み立て、上記プリズムユニットに接着固定する。
（２）偏光板保持体４５２の射出側偏光板４４３が収納される面とは反対側の面をクロスダイクロイックプリズム４４４の光束入射側端面に接着固定する。
（３）射出側偏光板４４３を偏光板保持体４５２の保持面４５２Ｂに対して傾斜させながら、該射出側偏光板４４３の下端部を偏光板保持体４５２の下端部角隅部分の固定部４５２Ｃの上端部に載置し、射出側偏光板４４３の上端部を偏光板保持体４５２側に押し付けて、保持面４５２Ｂと当接させる。
（４）付勢部材４５４の固定ばね４５４Ｃを偏光板保持体４５２の孔４５２Ｅに挿通し、かつ該固定ばね４５４Ｃを射出側偏光板４４３の光束入射側端面に当接する。ここで、付勢部材４５４の支持板４５４Ａと固定ばね４５４Ｃとの隙間には、偏光板保持体４５２の上端部が挟み込まれる。
（５）上記偏光板保持体４５２の上端部が挟み込まれた状態で、偏光板保持体４５２のフック係合部４５２Ｆと付勢部材４５４のフック４５４Ｂとは係合し、偏光板保持体４５２に付勢部材４５４が固定され、偏光板保持体４５２が組み立てられる。
【００５８】
次に、下記（６）、（７）に示す工程により、液晶パネルユニットを組み立てる。
（６）保持枠４５３の収納体４５３Ａに熱伝導性良好な熱硬化性接着剤を塗布し、光束入射側および光束射出側端面に防塵ガラス４４１Ａが貼り付けられた液晶パネル４４１Ｒ，４４１Ｇ，４４１Ｂの光束射出側端面が保持されるように組み込む。
（７）支持板４５３Ｂのフック４５３Ｇを収納体４５３Ａのフック係合部４５３Ｆに係合して仮組みした後、熱硬化性接着剤をホットエア等により硬化させる。
【００５９】
（８）次に、各液晶パネル４４１Ｒ，４４１Ｇ，４４１Ｂの相互の位置調整を行う。具体的に、上記偏光板保持体４５２が固定されたプリズムユニットを位置調整治具に装着し、さらに、保持枠４５３で保持固定された液晶パネル４４１Ｒ，４４１Ｇ，４４１Ｂの光束入射端面を位置調整治具で保持し、各液晶パネル４４１Ｒ，４４１Ｇ，４４１Ｂ間で画素ずれがないように相互の位置を調整する。
ここで、位置調整に関しては、先ず、投写レンズ４６と正対する液晶パネル４４１Ｇのアライメント調整およびフォーカス調整を行い、光源からの所定の位置に液晶パネル４４１Ｇを調整した後、保持枠４５３の孔４５３Ｃに紫外線硬化性接着剤とともにピンスペーサ４５３Ｄを挿通し、偏光板保持体４５２の固定部４５２Ｃと当接させ、光束入射側からピンスペーサ４５３Ｄに紫外線を照射させ、接着剤を硬化させて固定する。
次に、上記位置調整の後に硬化固定された液晶パネル４４１Ｇの画素に合うように液晶パネル４４１Ｒ，４４１Ｂを上記と同様に位置調整および固定を行う。（９）上記光学装置本体４５の位置調整が終了した後、光学装置本体４５を下ライトガイド４７１内に組み込み、台座４５１の取付部４５１Ａにねじを挿通し、下ライトガイド４７１に固定する。
【００６０】
〔５．偏光板のリワーク操作〕
以下には、図１０を参照し、偏光板４４３のリワーク操作について詳説する。
先ず、光学ユニット４から光学装置本体４５を取り外す。
（１）図５に示すように、プロジェクタ１のアッパーケース２１、上部シールド部材３４、回路基板５を取り外す。
（２）光学装置本体４５の台座４５１の取付部４５１Ａに螺合されたねじを取り外し、光学装置本体４５を光学ユニット４から取り出す。
次に、光学装置本体４５から、偏光板４４３を取り外し、偏光板４４３の交換を行う。
（３）図８に示す状態において、付勢部材４５４を上方に引き上げるように偏光板保持体４５２から取り外し、偏光板４４３を付勢部材４５４からの付勢状態を解放し、図１０（Ａ）に示すような状態にする。
（４）図８に示すように、偏光板保持体４５２と保持枠４５３とで形成された側方の隙間からピンセットを差し込み、該ピンセットによって偏光板４４３を掴んだ後、偏光板４４３を上方に引き上げ、偏光板４４３の下端部と偏光板保持体４５２の支持部４５２Ｄとを離隔し、偏光板４４３を側方に引き出して偏光板４４３を取り出す。
次に、光学装置本体４５に新しい偏光板４４３を組み込む。
（５）偏光板４４３の側方を掴み、偏光板保持体４５２の側方から、上述の隙間に挿入し、偏光板４４３の下端部を偏光板保持体４５２の下端部に形成された固定部４５２Ｃの上端部に載置し、偏光板４４３の上端部を偏光板保持体４５２側に押し付けて、偏光板保持体４５２の保持面４５２Ｂと当接させる。
（６）付勢部材４５４の固定ばね４５４Ｃを偏光板保持体４５２の孔４５２Ｅに挿通し、かつ該固定ばね４５４Ｃを射出側偏光板４４３の光束入射側端面に当接する。
【００６１】
〔６．冷却構造〕
本実施形態のプロジェクタ１では、前記液晶パネル４４１Ｒ，４４１Ｇ，４４１Ｂを主に冷却するパネル冷却系Ａと、前記光源装置４１１を主に冷却する光源冷却系Ｂと、前記電源ユニット３を主に冷却する電源冷却系Ｃとを備えている。
【００６２】
ここで、図１１は、図５に対して、冷却空気の流れる方向を示す矢印を追加して記載した図であり、電源冷却系Ｃを含むプロジェクタ１内の冷却空気の流れを示す図である。図１２は、光学装置本体４５の下側の構造を模式的に示す斜視図であり、パネル冷却系Ａを説明するための図である。図１３は、光学装置本体４５の断面図であり、パネル冷却系Ａによる光学装置本体４５への冷却空気の流れを説明する図である。図１４は、電源ユニット３およびライトガイド４７の下側の構造を示す斜視図であり、光源冷却系Ｂを説明するための図である。
【００６３】
図１１において、パネル冷却系Ａでは、投写レンズ４６の右側に配置された２つのシロッコファン６１，６２が用いられている。また、図１２に示すように、パネル冷却系Ａでは、これらのファン６１，６２にそれぞれ接続されるダクト６３，６４が用いられている。
図１２に示すように、シロッコファン６１，６２は、外装ケース２側面の吸気口２Ａから外部の冷却空気を吸入して、この吸引した冷却空気をダクト６３，６４にそれぞれ排出するものである。なお、シロッコファン６２は、シロッコファン６１よりも大型のものが採用されている。
【００６４】
ダクト６３は、シロッコファン６１から排出された冷却空気を光学装置本体４５の下方まで誘導するものであり、緑色光用の液晶パネル４４１Ｇの下方に対応する位置には、矩形の開口部６３Ａが形成されている。
また、ダクト６４は、シロッコファン６２から排出された冷却空気を光学装置本体４５の下方まで誘導するものであり、赤色光用および青色光用の液晶パネル４４１Ｒ，４４１Ｂの下方に対応する位置には、矩形の開口部６４Ａ，６４Ｂがそれぞれ形成されている。
ここで、光学装置本体４５が設置される下ライトガイド４７１の底面には、光学装置本体４５の各液晶パネル４４１Ｒ，４４１Ｇ，４４１Ｂの位置に対応した位置に、ダクト６３の開口部６３Ａおよびダクト６４の開口部６４Ａ６４Ｂと同様に図示しない開口部が形成されており、ダクト６３、６４によって誘導された冷却空気を下ライトガイド４７１内に導入させることができるようになっている。
【００６５】
これにより、シロッコファン６１、６２で吸引した冷却空気は、偏光板保持体４５２と保持枠４５３との間、保持枠４５３の光束入射側に入り込み、図１３に示すように、液晶パネル４４１Ｒ，４４１Ｇ，４４１Ｂおよびこの光入射側、光射出側に配置された偏光板４４２，４４３が冷却されるようになっている。
なお、下ライトガイド４７１の底面には、図１３に示すように、平面略矩形板状の整流板４７８が設けられ、整流板４７８に設けられた一対の立上片４７８Ａ（合計６枚）が下ライトガイド４７１の開口部から上方側に突出するようになっている。これらの立上片４７８Ａにより、液晶パネル４４１Ｒ，４４１Ｇ，４４１Ｂおよび偏光板４４２、４４３を冷却するための冷却空気の流れが、下方から上方へ整えられる。
【００６６】
パネル冷却系Ａの冷却空気は、このようにして液晶パネル４４１Ｒ，４４１Ｇ，４４１Ｂおよび偏光板４４２、４４３を下方から上方に向けて冷却した後、図１１では図示しない前記回路基板の下面を冷却しながら、前方から見て左側の軸流排気ファン６６側に引き寄せられ、図９では図示しない前記外装ケース前面の排気口から排出される。
ここで、パネル冷却系Ａによる冷却空気は、液晶パネル４４１Ｒ，４４１Ｇ，４４１Ｂを冷却する役割のみならず、液晶パネル４４１Ｒ，４４１Ｇ，４４１Ｂの表面に吹きつけられることで、パネル表面に付着した塵等を吹き飛ばす役割をも有している。パネル冷却系Ａにより、液晶パネル４４１Ｒ，４４１Ｇ，４４１Ｂの表面を常に清浄することができるから、プロジェクタ１において、安定した画質の光学画像をスクリーン等に投写できるようになる。
【００６７】
図１３において、光源冷却系Ｂでは、電源ユニット３の下側に設けられたシロッコファン６５と、軸流排気ファン６６と、この軸流排気ファン６６に取り付けられたダクト６７とが用いられている。
シロッコファン６５によって、ロアーケース２２の排気口２２１Ａから吸引された冷却空気は、ロアーケース２２の底面部２２１内側に形成されたガイド２２Ｃに沿って流れた後、光源装置４１１内に入り込んで光源ランプ４１６を冷却し、光源装置４１１の外へと出て行く。その後、光源装置４１１から出た冷却空気は、パネル冷却系Ａと同様に、軸流排気ファン６６によって引き寄せられ、ダクト６７を介して、図１３では図示しない前記外装ケース前面の排気口から排出される。
【００６８】
図１１において、電源冷却系Ｃでは、電源ユニット３の右側に設けられたシロッコファン６８が用いられている。
シロッコファン６８によって、ロアーケース２２の底面部２２１に形成された吸気口２２１Ｂから吸引された冷却空気は、電源３１およびランプ駆動回路３２を冷却しながら、筒部材３１Ａ，３２Ａに沿って前方から見て右側から左側へと流れた後、そのほとんどが他の冷却系統Ａ，Ｂと同様に、軸流排気ファン６６によって引き寄せらた後に、ダクト６７を介して、図示しない外装ケース前面の排気口から排出される。なお、一部の空気は、軸流排気ファン６６に引き寄せられずに、直接、前記外装ケースの排気口から排出される。
【００６９】
〔７．実施形態の効果〕
上述のような本実施形態によれば、次のような効果がある。
（１）光学装置本体４５は、クロスダイクロイックプリズム４４４の光束入射端面に固定され、射出側偏光板４４３を保持する保持面を有する偏光板保持体４５２と、偏光板保持体４５２の上端部に設置され、該偏光板保持体４５２の上端部から挿抜可能に突出し、保持面４５２Ｂに対して射出側偏光板４４３をその厚さ方向に付勢する付勢部材４５４とを備えていることにより、射出側偏光板４４３の何らかの不具合により交換を行う際に、付勢部材４５４を取り外すことで、射出側偏光板４４３に対する付勢状態を解放することができ、容易に射出側偏光板４４３の交換を行うことができる。
（２）射出側偏光板４４３は、付勢部材４５４により、偏光板保持体４５２の保持面４５２Ｂに対して、付勢狭持されていることにより、射出側偏光板４４３の交換の際には、偏光板保持体４５２に対して、射出側偏光板４４３を接着剤等の固着状態から引き剥がす必要はなく、射出側偏光板４４３の交換を容易に行うことができる。
また、射出側偏光板４４３の交換の際に、偏光板保持体４５２に固着した接着剤を削り取る作業を行う必要がなく、射出側偏光板４４３の設置を容易に行うことができる。
【００７０】
（３）偏光板保持体４５２の四隅は、該偏光板保持体４５２から突出して形成され、液晶パネル４４１が保持固定された保持枠４５３を取り付けるための固定部４５２Ｃが形成されていることにより、保持枠４５３が偏光板保持体４５２に固定された際には、保持枠４５３と偏光板保持体４５２の板状体とは離隔しているので、射出側偏光板４４３を交換する場合には、保持枠４５３と偏光板保持体４５２との間にピンセット等を差し込むことができ、保持枠４５３を取り外すことなしに、射出側偏光板４４３のみを交換することができる。
（４）偏光板保持体４５２の四隅は、該偏光板保持体４５２から突出して形成され、液晶パネル４４１が保持固定された保持枠４５３を取り付けるための固定部４５２Ｃが形成されていることにより、保持枠４５３が偏光板保持体４５２に固定された際には、保持枠４５３と偏光板保持体４５２の板状体とは離隔しているので、液晶パネル４４１に何らかの不具合が生じた場合には、保持枠４５３と偏光板保持体４５２の板状体との間にドライバ等を差し込むことで、保持枠４５３を容易に取り外し、交換を行うことができる。
【００７１】
（５）射出側偏光板４４３は、付勢部材４５４により、偏光板保持体４５２の保持面４５２Ｂに対して、付勢狭持されていることにより、偏光板保持体４５２の保持面４５２Ｂと射出側偏光板４４３とは密着し、光源ランプ４１６から射出された光束により射出側偏光板４４３に発生する熱を効率的に偏光板保持体４５２に放熱することができ、射出側偏光板４４３の高温化を回避し、熱による劣化を防止することができる。
（６）偏光板４４３は、図示しない透明接着剤を用いて偏光フィルム４４３Ａを熱伝導性良好なサファイア基板４４３Ｂに貼り付けた構成となっていることにより、光源ランプ４１６から射出された光束により偏光フィルム４４３Ａに発生する熱を効率的にサファイア基板４４３Ｂに放熱することができ、偏光フィルム４４３Ａの高温化を回避し、偏光フィルム４４３Ａの機能的信頼性を確保することができる。
【００７２】
（７）偏光板保持体４５２は、熱伝導性良好なマグネシウム合金から構成されていることにより、射出側偏光板４４３からの放熱特性を向上させることができ、偏光フィルム４４３Ａの高温化を回避し、偏光フィルム４４３Ａの機能的信頼性を確保することができる。
（８）液晶パネル４４１が収納される保持枠４５３が、偏光板保持体４５２に固定されていることにより、液晶パネル４４１とクロスダイクロイックプリズム４４４とを偏光板保持体４５２を介して一体化することができる。
また、保持枠４５３は、偏光板保持体４５２を介して、クロスダイクロイックプリズム４４４に固定されていることにより、液晶パネル４４１に何らかの不具合が生じ、液晶パネル４４１を交換する際に、偏光板保持体４５２から保持枠４５３を引き剥がすことで、クロスダイクロイックプリズム４４４に傷等を付けることなく、液晶パネル４４１を容易に交換することができる。
【００７３】
（９）偏光板保持体４５２の固定部４５２Ｃの光束出射側には、付勢部材４５４の固定ばね４５４Ｃが挿入される孔４５２Ｅが形成されていることにより、固定部４５２Ｃの表裏面には、それぞれ保持枠４５３と付勢部材４５４の固定ばね４５４Ｃとが位置し、保持枠４５３と付勢部材４５４とが干渉することなく、液晶パネル４４１の固定状態および付勢部材４５４による射出側偏光板４４３の固定状態を安定に保持することができる。
（１０）偏光板保持体４５２の下端部に位置する固定部４５２Ｃは、該固定部４５２Ｃの上端部に上方に突出して、射出側偏光板４４３の下端部分を支持する支持部４５２Ｄが形成されていることにより、該支持部４５２Ｄが射出側偏光板４４３の自重を担保し射出側偏光板４４３を安定に保持することができる。
また、射出側偏光板４４３に対して、付勢部材４５４による付勢状態を解放した際には、射出側偏光板４４３は偏光板保持体４５２から落下することがなく、射出側偏光板４４３の交換を容易に行うことができる。
【００７４】
（１１）付勢部材４５４は、偏光板保持体４５２の上端部に設置され、該付勢部材４５４の上端部は、偏光板保持体４５２から突出して位置していることにより、付勢部材４５４の挿抜方向が、下ライトガイド４７１への光学装置本体４５の着脱方向と一致しているので、一体化された光学装置本体４５を下ライトガイド４７１に設置した後であっても、偏光板保持体４５２への付勢部材４５４の挿抜を可能にし、射出側偏光板４４３の交換の際に、光学装置本体４５を下ライトガイド４７１から外す作業を省くことができ、射出側偏光板４４３の交換においてリワーク工数を低減させることができる。
（１２）射出側偏光板４４３を構成するサファイア基板４４３Ｂの偏光フィルム４４３Ａが貼り付けられた端面とは反対側の端面には、視角補償フィルムが貼り付けられていることにより、液晶パネル４４１とクロスダイクロイックプリズム４４４との間に介在し、上記視角補償フィルムを固定する固定板を省略することができ、部品点数を削減し、組立工数を低減するとともに、コスト低減を図ることができる。
また、サファイア基板４４３Ｂに、視角補償フィルムを貼り付けることで、投写画像の視野角が拡大し、コントラスト向上を図ることができる。
【００７５】
（１３）ロアーケース２２の底面にダクト６３、６４が設けられていることにより、シロッコファン６１、６２によって吸引された冷却空気を光学装置本体４５下方に導くことができ、偏光板保持体４５２と保持枠４５３との間、保持枠４５３の光束入射側に冷却空気を送り込み、液晶パネル４４１および偏光板４４２、４４３を効率的に冷却することができる。
（１４）液晶パネル４４１および偏光板４４２、４４３を冷却するにあたって、２つのシロッコファン６１、６２を用いていることにより、冷却に十分な総風量を得ることができ、液晶パネル４４１および偏光板４４２、４４３を効率的に冷却することができる。
【００７６】
〔８．実施形態の変形〕
なお、本発明は、前記実施形態に限定されるものではなく、本発明の目的を達成できる他の構成等を含み、以下に示すような変形等も本発明に含まれる。
前記実施形態では、一体化された光学装置本体４５は、クロスダイクロイックプリズム４４４の下面に固定された台座４５１の取付部４５１Ａにより下ライトガイド４７１に固定されていたが、クロスダイクロイックプリズム４４４の上面に台座４５１を固定し、光学装置本体４５を吊り下げた状態で、台座４５１の取付部４５１Ａと下ライトガイド４７１とを固定してもよい。
前記実施形態において、偏光板保持体４５２または保持枠４５３に、表面が凹凸形状である冷却フィンを形成し、偏光板保持体４５２または保持枠４５３の冷却効率を向上させてもよい。
【００７７】
さらに、前記各実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。
【００７８】
また、前記各実施形態では、光変調装置として液晶パネルを用いていたが、マイクロミラーを用いたデバイスなど、液晶以外の光変調装置を用いてもよい。
さらに、前記実施形態では、光入射面と光射出面とが異なる透過型の光変調装置を用いていたが、光入射面と光射出面とが同一となる反射型の光変調装置を用いてもよい。
【００７９】
さらにまた、前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００８０】
【発明の効果】
本発明の光学装置およびこの光学装置を備えたプロジェクタによれば、偏光板の冷却効率を良好にしつつ、偏光板の何らかの不具合による交換を容易に行うことができ、さらに、光学装置のリワーク性を向上させることができるという効果がある。
【図面の簡単な説明】
【図１】本実施形態に係るプロジェクタを上方から見た全体斜視図である。
【図２】前記実施形態に係るプロジェクタを後方から見た全体斜視図である。
【図３】前記実施形態におけるプロジェクタを下方から見た全体斜視図である。
【図４】前記実施形態におけるプロジェクタの内部を示す斜視図であり、具体的には、図２の状態からプロジェクタのアッパーケースを外した図である。
【図５】前記実施形態におけるプロジェクタの内部を示す斜視図であり、具体的には、図４の状態から上部シールド板および回路基板を外して前方側から見た図である。
【図６】前記実施形態における光学ユニットを上方側から見た斜視図である。
【図７】前記実施形態における光学ユニットを模式的に示した平面図である。
【図８】前記実施形態における液晶パネルおよびプリズムとを一体化した光学装置を上方側から見た斜視図である。
【図９】前記実施形態における光学装置の分解斜視図である。
【図１０】前記実施形態における偏光板保持体に偏光板を収納する構造を示す断面図である。
【図１１】前記実施形態におけるパネル冷却系Ａおよび電源冷却系Ｃの冷却空気の流れを説明する図である。
【図１２】前記実施形態におけるパネル冷却系Ａの冷却空気の流れを説明する図である。
【図１３】前記実施形態における光学装置の冷却構造を示す断面図である。
【図１４】前記実施形態における光源冷却系Ｂの冷却空気の流れを説明する図である。
【符号の説明】
１  プロジェクタ
４５  光学装置本体
４４１，４４１Ｒ，４４１Ｇ，４４１Ｂ  液晶パネル（光変調装置）
４４３  偏光板（光学変換素子）
４４３Ａ  偏光フィルム（光学変換膜、偏光素子）
４４３Ｂ  サファイア基板（基板）
４４４  クロスダイクロイックプリズム（色合成光学装置）
４５２  偏光板保持体（変換素子保持体）
４５２Ｂ  保持面
４５２Ｄ  支持部（支持面）
４５２Ｅ  孔（凹部）
４５４  付勢部材
【図１】
0004019718.tif 000002
【図２】
0004019718.tif 000003
【図３】
0004019718.tif 000004
【図４】
0004019718.tif 000005
【図５】
0004019718.tif 000006
【図６】
0004019718.tif 000007
【図７】
0004019718.tif 000008
【図８】
0004019718.tif 000009
【図９】
0004019718.tif 000010
【図１０】
0004019718.tif 000011
【図１１】
0004019718.tif 000012
【図１２】
0004019718.tif 000013
【図１３】
0004019718.tif 000014
【図１４】
0004019718.tif 000015